(57)【特許請求の範囲】
【請求項１】
可撓性を有するフレキシブル基板に複数の多色発光可能なＬＥＤ素子を所定の間隔を設けてアレイ状に配設して構成した発光ユニットと、
前記発光ユニットの発光パターンを記憶する記憶媒体と、
前記発光パターンに基づいて前記ＬＥＤ素子の発光を制御するメインユニットと、
前記発光ユニットの発光面を覆うように設けられ、前記ＬＥＤ素子の光を透過可能な布体と、
を備え、
前記布体は前記ＬＥＤ素子が発する光を透過可能な白色の素材で構成されたシャツであり、前記シャツの裏地側には、袋部用布体を縫い付けることにより前記発光ユニットが収まる大きさの上方開口の袋部が形成され、前記発光ユニットは、発光面を外側に向け、発光面が前記シャツの布体で覆われた状態で前記袋部に収納され、
前記発光ユニットは、防水層で被覆され、前記フレキシブル基板の発光面側の色と前記発光ユニットの発光面を覆う前記布体の色とが同色の白色とされ、前記袋部に収納された状態で前記袋部の下端側の縁部から、前記メインユニットに接続される入力端子と電源部に接続される電源用端子とが延出され、前記電源用端子および前記入力端子は、前記袋部の下部から引き出されていることを特徴とする発光装置。
【請求項２】
前記メインユニットは複数の前記発光ユニットを連動させて前記ＬＥＤ素子の発光を制御することを特徴とする請求項１の発光装置。
【発明の詳細な説明】
【技術分野】
【０００１】
本発明は、シャツとして、イベントの案内や店の宣伝等に好適に用いることができる発光装置に関するものである。
【背景技術】
【０００２】
従来、イベントの案内や店の宣伝等のため、シャツ、暖簾、旗等に所定の絵柄や文字等を形成し、シャツであればイベント会場の近くで客の案内をする係員に着用させたり、暖簾や旗であれば店の前に設置するなどして使用することがしばしばあった。
【０００３】
しかしながら、シャツ、暖簾、旗等に所定の絵柄や文字等を染料や刺繍等によって形成するのみでは、夜間はもちろんのこと、昼間であっても絵柄や文字等を視認することが困難な場合があった。
【０００４】
そこで、例えば特許文献１では、暖簾やカーテンを構成する布基材上に、白色ペイント層を施し、かかる白色ペイント層上に蓄光剤層を設けてなる第一絵柄文字部と、アルミ箔や蛍光塗料を混入させたビーズと透過性接着剤とで形成される第二絵柄文字部とを施した絵柄文字付き蓄光暖簾・カーテンが開示されている。第一絵柄文字部は、蓄光剤に太陽光や照明器具からの照射光を蓄光させることにより、絵柄や文字が暗闇でも浮かび上がるように構成されたものである。第二絵柄文字部は、外光をアルミ箔で反射させたり、蛍光塗料を混入させたビーズに太陽光や照明器具からの照射光を蓄光させたりできるよう構成されたものである。
【先行技術文献】
【特許文献】
【０００５】
【特許文献１】特開２００６−２６３４１１号公報
【発明の概要】
【発明が解決しようとする課題】
【０００６】
しかしながら、特許文献１等で提案される発明は、蓄光剤や蛍光塗料により絵柄や文字が暗闇でも浮かび上がるよう構成されたものであるため、光量が少なく視認性が低い。また、蓄光剤や蛍光塗料の畜光量に限りがあるため、夜間において長時間発光させ続けることが困難である。更に、表示できる絵柄や文字は、第一絵柄文字部と第二絵柄文字部の形状に限られてしまう。
【０００７】
本発明は上記課題に鑑みてなされたものであり、シャツに使用でき、夜間はもちろんのこと、昼間であっても絵柄や文字等の情報を明確に視認させることが可能な発光装置であって、表示される絵柄や文字等の情報を任意に変更、設定することが可能な発光装置を提供することを目的とする。
【課題を解決するための手段】
【０００８】
（１）本発明の発光装置は、可撓性を有するフレキシブル基板に複数の多色発光可能なＬＥＤ素子を所定の間隔を設けてアレイ状に配設して構成した発光ユニットと、前記発光ユニットの発光パターンを記憶する記憶媒体と、前記発光パターンに基づいて前記ＬＥＤ素子の発光を制御するメインユニットと、前記発光ユニットの発光面を覆うように設けられ、前記ＬＥＤ素子の光を透過可能な布体と、を備え、前記布体は前記ＬＥＤ素子が発する光を透過可能な白色の素材で構成されたシャツであり、前記シャツの裏地側には、袋部用布体を縫い付けることにより前記発光ユニットが収まる大きさの上方開口の袋部が形成され、前記発光ユニットは、発光面を外側に向け、発光面が前記シャツの布体で覆われた状態で前記袋部に収納され、前記発光ユニットは、防水層で被覆され、前記フレキシブル基板の発光面側の色と前記発光ユニットの発光面を覆う前記布体の色とが同色の白色とされ、前記袋部に収納された状態で前記袋部の下端側の縁部から、前記メインユニットに接続される入力端子と電源部に接続される電源用端子とが延出され、前記電源用端子および前記入力端子は、前記袋部の下部から引き出されていることを特徴とする。
【００１０】
（２）また、上記（１）に記載の発光装置は、メインユニットは複数の発光ユニットを連動させてＬＥＤ素子の発光を制御することを特徴とする。
【発明の効果】
【００１４】
請求項１に記載の発光装置によれば、フレキシブル基板に配設された複数の多色発光可能な発光素子を備える発光ユニットと、発光ユニットの発光パターンを記憶する記憶媒体と、発光パターンに基づいて発光素子の発光を制御するメインユニットと、発光ユニットの発光面を覆うように設けられ、発光素子の光を透過可能な布体と、を備えることとしたことにより、シャツに使用でき、夜間はもちろんのこと、昼間であっても絵柄や文字等の情報を明確に視認させることが可能な発光装置であって、表示される絵柄や文字等の情報を任意に変更、設定することが可能な発光装置を提供することができる。また、布体に発光ユニットを収納する袋部を備えることにより、発光ユニットをシャツに容易にセットすることができる。また、フレキシブル基板の発光面側の色と、布体の発光ユニットを覆う部分の色とが、同系色であるため、外部から発光ユニットの存在を視認されにくくすることができる。また、発光ユニットが防水層で被覆されていることにより、雨天等において発光ユニットが水に濡れても電子回路がショートしない装置とすることができる。
【００１６】
請求項２に記載の発光装置によれば、メインユニットは複数の発光ユニットを連動させて発光素子の発光を制御することとしたことにより、大面積の発光部を容易に形成することができる。
【図面の簡単な説明】
【００２０】
【図１】本発明の発光装置の概略構成を示す図である。
【図２】本発明の発光装置のブロック図である。
【図３】発光ユニットの構成を示した図である。
【図４】シャツの袋部に発光ユニットを収納する際の様子を示した図である。
【図５】発光ユニットが袋部に収納された状態におけるシャツの横断面図である。
【図６】本発明の発光装置の実施例による使用状態を示した図である。
【図７】本発明の発光装置の他の実施例による使用状態を示した図である。
【図８】本発明の発光装置の他の実施例による使用状態を示した図である。
【図９】本発明の発光装置の他の実施例による使用状態を示した図である。
【図１０】磁性層を備える本発明の発光装置の実施例を示した図である。
【発明を実施するための形態】
【００２１】
以下、本発明について、図面を参照しながら詳細に説明する。
【００２２】
図１は、本発明の発光装置の概略構成を示す説明図である。図１（ａ）は、一つの発光ユニット１を備える発光装置を示す図、図１（ｂ）は、複数の発光ユニット１を備える発光装置を示す図である。
【００２３】
本発明の発光装置は、発光ユニット１と、記憶媒体２と、メインユニット３と、布体４とを備えている。発光ユニット１は、可撓性のフレキシブル基板５と、フレキシブル基板５に配設された複数の発光素子６と、図示しない電源部とを備えている。メインユニット３からの信号を伝達するため、発光ユニット１とメインユニット３とは配線Ｗ１によって電気的に接続されている。
【００２４】
メインユニット３は、それぞれの発光素子６の発光を独立して制御することが可能であり、記憶媒体２に記憶された発光パターンに基づいて、発光ユニット１の発光パターンを制御することができる。また、図１（ｂ）に示すように、発光装置が複数の発光ユニット１，１，１を備える場合は、メインユニット３によって、記憶媒体２に記憶された発光パターンに基づいて、複数の発光ユニット１を連動させて発光素子６の発光を制御することが可能である。尚、各発光ユニット１同士は、配線Ｗ２で電気的に接続されている。
【００２５】
布体４は、発光ユニット１の発光面を覆うように設けられている。布体４は発光素子６が発する光を透過可能な素材で構成されており、発光素子６が発する光は、布体４を介して外部から認識することができる。また、フレキシブル基板５の発光面側の色と、発光ユニット１の発光面を覆う布体４の色とを同系色または同色とすることにより、発光ユニット１の存在を布体４を通して視認されにくくすることができる。
【００２６】
本発明の発光装置は、発光ユニット１の発光面が布体４で覆われているため、以下のような効果が得られる。
【００２７】
まず、布体４の存在により、フレキシブル基板５の表面で反射する外光の影響をほとんど受けなくなるため、発光ユニット１に表示される発光パターンを視認しやすくなるという効果がある。
【００２８】
また、布体４は、いわゆる透過型スクリーンとしての機能を有する。本発明において、発光ユニット１の発光面と布体４とを密着させるための手段は特に設けていないため、発光素子６と布体４との間には、しばしば隙間が生じる。発光素子６が発する光には、進行方向に向かって広がって進む成分が含まれるため、発光素子６と布体４との間に隙間が生じている場合、発光素子６から発せられた光は、ある程度広がった状態で布体４に映し出される。その結果、視認される発光パターンに柔らかみを持たせることができる。
【００２９】
更に、布体４は、光をフィルタリングする機能を有する。このフィルタリング機能により、布体４を通過して目に入射する発光素子６からの直接光が減少するため、目の疲労が抑えられ、発光パターンを視認しやすくなる。
【００３０】
また、例えば、布体４の素材を白色とすれば、布体４の素材に吸収される光が減少するため、より鮮やかな発光パターンを視認することができる。
【００３１】
図２は、本発明の発光装置のブロック図である。
【００３２】
発光ユニット１の発光パターンは、コンピュータ読み取り可能な記憶媒体２に記憶されたプログラムによって規定されている。本発明では、記憶媒体２として、持ち運びが可能な外部メモリを用いている。外部メモリとは、例えば、コンパクトフラッシュ（登録商標）、スマートメディア（登録商標）、メモリスティック（登録商標）、ＳＤカード（登録商標）、ｘＤ（登録商標）、ＵＳＢメモリ等が該当する。
【００３３】
発光ユニット１の発光パターンを規定するプログラムは、コンピューター装置７等によって自由に設計や変更を行うことが可能であり、様々な発光パターンを設定することができる。プログラムは、コンピューター装置７等が備えるデータ書き込み部８によって記憶媒体２に書き込むことができる。また、記憶媒体２には複数のプログラムを記憶させることが可能である。
【００３４】
メインユニット３は、プログラムに規定された発光パターンに基づいて、発光ユニット１に様々な文字情報や絵柄等を表示させることができるように構成されている。メインユニット３は、データ読み出し部９と、制御部１０と、データドライブ部１１と、出力端子１２と、表示部１３と、受信制御部１４とを備えている。データ読み出し部９は、記憶媒体２に記憶されたプログラムを読み出し可能に構成されている。制御部１０は、制御プログラムを格納するＲＯＭ１５と、プログラムの作業領域としてのＲＡＭ１６と、プログラムに基づいて発光装置の制御を行うＣＰＵ１７とを備えている。データ読み出し部９によって記憶媒体２から読み出された発光パターンが規定されたプログラムは、制御部１０によって、データドライブ部１１が処理可能な発光パターンが規定されたデータへ変換される。発光パターンが規定されたデータは、データドライブ部１１によって、個々の発光素子６を制御することが可能な発光パターンが規定された発光信号へ変換され、発光部１８へ送られる。表示部１３は、実行中のプログラムが確認できるように構成されており、例えば、実行中のプログラム番号やプログラム名等を表示することができる。
【００３５】
発光部１８は、少なくとも一つの発光ユニット１を備えている。発光部１８が複数の発光ユニット１を備えている場合は、各発光ユニット１同士は、直列に接続しても並列に接続しても良い。発光部１８には入力端子１９および電源部２０が接続されている。発光装置の使用時において出力端子１２と入力端子１９とは接続されており、メインユニット３からの発光パターンが規定された発光信号は、出力端子１２および入力端子１９を介して発光部１８に送られる。その結果、発光信号が規定する発光パターンに基づいて、発光ユニット１の各発光素子６が発光する。電源部２０は、交流電源または電池等の直流電源と、電力変換器とを備えており、発光部１８に電力を供給すると共に、入力端子１９および出力端子１２を介してメインユニット３に電力を供給することが可能である。なお、電力変換器は、電源を交流電源とする場合はＡＣ−ＤＣコンバータであり、電源を直流電源とする場合はＤＣ−ＤＣコンバータであり、発光ユニット１を駆動させるための駆動電圧に変換する機能を有する。
【００３６】
また、本発明の発光装置は、リモコン２１により遠隔操作することが可能である。例えば、リモコン２１は、リモコン２１上に形成されたボタンにより発光パターンを規定したプログラム番号を選択し、選択されたプログラム番号を赤外線等の操作信号として受信制御部１４に向けて送信できるよう構成されている。リモコン２１からの操作信号は受信制御部１４によって受信され、選択されたプログラムに基づき、上記メインユニット３の処理が行われ、発光部１８が発光する。
【００３７】
なお、上記構成では、持ち運びが可能な記憶媒体２を介してコンピューター装置７で設定したプログラムをメインユニット３へ伝達しているが、コンピューター装置７に無線送信手段を設けると共に、メインユニット３に無線受信手段を設けることにより、プログラムを無線で送受信できるように構成しても良い。
【００３８】
図３は、発光ユニット１の構成を示した図である。図３（ａ）は平面とした発光ユニット１を示した図であり、図３（ｂ）は一部を撓ませた発光ユニット１を示した図であり、図３（ｃ）は発光ユニット１の断面構造を示した図である。
【００３９】
発光ユニット１は、フレキシブル基板５に複数の発光素子６がアレイ状（格子状）に配設された構成を有しており、複数の発光素子６が配設された発光面２２と、発光素子６が配設されていない非発光面２３とを形成している。フレキシブル基板５は可撓性を有しており、図３（ｂ）に示すように、発光ユニット１は自在に撓むことができる。ここで、複数の発光素子６は所定の間隔を設けてフレキシブル基板５に配設することにより、隣同士に配設された発光素子６同士が接触しあう物理的な干渉が減少し、フレキシブル基板５の可撓性を損なわずに済む。本発明において発光素子６の種類は特に問わないが、多色発光可能なＬＥＤを用いれば、視覚的な効果を高めることができると共に、消費電力を低く抑えることができる。また、発光素子６として高輝度のＬＥＤを用いれば、昼間においても発光部１８に表示される情報を鮮明に視認することが可能である。
【００４０】
発光ユニット１は、２つの入力端子１９を備えている。発光装置の使用時において、１つの発光ユニット１を用いる場合は、どちらか一方の入力端子１９にメインユニット３の出力端子１２を接続すれば良い。
【００４１】
また、発光装置の使用時において、複数の発光ユニット１を用いる場合は、いずれか一つの発光ユニット１の一方の入力端子１９にメインユニット３の出力端子１２を接続し、もう一方の入力端子１９に他の発光ユニット１の入力端子１９を接続すれば良い。その際、メインユニット３の出力端子１２が接続された発光ユニット１において、出力端子１２が接続されていない入力端子１９は出力端子として機能することとなる。
【００４２】
また、発光ユニット１は電源用端子２４を備えており、電源用端子２４を電源部側の端子と接続して発光ユニット１の電力を供給できる構成としている。
【００４３】
また、発光ユニット１は、図３（ｃ）に示すように、水濡れによる電子回路のショートを防ぐため、樹脂等で形成した防水層２９で被覆しても良い。
【００４４】
本発明は、発光ユニット１と布体４との組み合わせにより様々な実施形態を構成し、夜間はもちろんのこと、昼間であっても絵柄や文字等の情報を明確に視認させることが可能な発光装置であって、表示される絵柄や文字等の情報を任意に変更、設定することが可能な発光装置とすることが可能である。以下に、本発明の実施例について説明する。
【００４５】
図４〜６は、発光ユニット１をシャツ２５の裏地側に設けた袋部２６に収納して使用する場合の実施例を示した説明図である。図４は、袋部２６に発光ユニット１を収納する際の様子を示した図である。図５は、発光ユニット１が袋部２６に収納された状態におけるシャツ２５の横断面図である。図６（ａ）は、本実施例の使用状態における構成を示した図である。図６（ｂ）は、本実施例の使用時において、文字が表示された状態を示した図である。
【００４６】
図４に示すように、袋部２６は、シャツ２５の裏地側に袋部用布体２７を縫い付けることにより形成しており、発光ユニット１が収まる大きさとしている。発光ユニット１は発光面２２を外側に向けて袋部２６に収め、発光面２２がシャツ２５の布体２５ａで覆われた状態としている。布体２５ａは、発光ユニット１の発光素子６が発する光Ｌを透過可能な素材や厚みで構成する。なお、袋部２６は、シャツ２５の前側および後側のどちらに設けても良い。
【００４７】
フレキシブル基板の発光面２２側の色と、発光ユニット１の発光面２２を覆う布体２５ａの色とを同系色または同色とすることにより、袋部２６に収納された発光ユニット１の存在を外部から視認されにくくすることができる。
【００４８】
図６に示すように、本発明の発光装置の使用状態において、発光ユニット１には、入力端子１９および電源用端子２４を介して、メインユニット３および電源部２０が接続されている。本発明の発光装置は、発光パターンを規定するプログラムが記憶された記憶媒体２をメインユニット３のデータ読み出し部９にセットし、リモコン２１で所望の発光パターンを選択することにより、発光ユニット１の発光面２２に所定の発光パターンを表示することができる。この例では、図６（ｂ）に示すように、「祭」の文字が発光パターンとして表示されている。その際必要となる駆動電力は、電源２０ａおよび電力変換器２０ｂを備える電源部２０から供給される。電源２０ａを電池により構成すれば、発光装置の使用時において、電源部２０およびメインユニット３をズボンのポケット等に収納しておくことにより、使用者は自由に移動することが可能である。なお、図６（ｂ）においては、記憶媒体２、メインユニット３、電源部２０、およびリモコン２１は省略されている。
【００４９】
各発光素子６の発光状態は、発光パターンを規定したプログラムの設定により、経時的に変化させることが可能である。すなわち、単に静止した絵柄や文字等を表示するだけではなく、例えば、絵柄や文字等がスクロールしたり、拡大、縮小、回転等する動きを発光ユニット１の発光面２２上で表現することが可能である。また、発光素子６として多色発光可能なＬＥＤを用いることにより、絵柄や文字等をカラフルに表現することが可能である。
【００５０】
発光部１８の発光ユニット１を複数とする場合は、例えば、図７に示すように、複数のシャツ２５に形成したそれぞれの袋部２６に発光ユニット１を収納して発光面２２がシャツ２５の布体２５ａで覆われた状態とし、複数の発光ユニット１を連動させて発光させ、より大面積の発光部１８として様々な発光パターンを表示させることが可能である。本実施例において、複数の発光ユニット１は、それぞれメインユニット３および電源部２０が接続されている。それぞれのメインユニット３にセットされる記憶媒体２には、複数の発光ユニット１を連動させて発光させるための発光パターンを規定するプログラムが記憶されている。リモコン２１の操作により、各メインユニット３の制御部１０で実行するプログラムを同期させ、複数の発光ユニット１を連動させて一体の発光部１８として発光させることが可能である。
【００５１】
また、発光部１８の発光ユニット１を複数とする場合の他の実施例を図８に示す。本実施例では、暖簾３０の３つに分かれた各布体３０ａに上部が開口した袋部３１を形成し、それぞれの袋部３１に発光ユニット１ａ，１ｂ，１ｃを収納し、発光面２２が暖簾３０の布体３０ａで覆われた状態としており、複数の発光ユニット１を連動させて発光させ、より大面積の発光部１８として様々な発光パターンを表示させることが可能である。
【００５２】
本実施例では、メインユニット３からの信号を伝達可能とするため、メインユニット３と発光ユニット１ａとは配線Ｗ３で接続され、発光ユニット１ｂと発光ユニット１ｃとは配線Ｗ４で接続されている。本実施例の場合、メインユニット３は一つのみ使用して複数の発光ユニット１を直列に接続し、複数の発光ユニット１を連動させて発光させることが可能である。また、発光ユニット１ａ，１ｂ，１ｃには、電源部２０が配線Ｗ５を介して接続されている。なお、暖簾３０は使用中において特に移動させる必要が無いため、電源部２０は家庭用の交流電源としても良い。
【００５３】
また、本発明の発光装置は、図９（ａ）に示すように、大面積を有するいわゆる日除け暖簾３２や、図９（ｂ）に示すように、いわゆるのぼり旗３４として使用することが可能である。
【００５４】
図９（ａ）に示す実施例の場合、日除け暖簾３２に、縦３箇所×横６箇所の合計１８箇所の袋部３３を形成して合計１８個の発光ユニット１を備えた発光装置とし、各発光ユニット１を連動させて発光させることができるよう構成されている。全ての発光ユニット１の発光面２２は日除け暖簾３２の布体３２ａで覆われた状態としている。このように、本発明は、複数の発光ユニット１を連動させることにより、所望の大きさの発光部１８を有する発光装置とすることができる。
【００５５】
また、図９（ｂ）に示す実施例の場合、縦長ののぼり旗３４に縦長の袋部３５を形成しており、縦長の発光ユニット１を縦長の袋部３５に収納させて使用することができる。発光ユニット１の発光面２２はのぼり旗３４の布体３４ａで覆われた状態としている。このように、本発明は、発光ユニット１の形状を自由に変更することが可能であり、所望の形状とした発光部１８を有する発光装置とすることができる。
【００５６】
図１０に示す実施例では、本発明の発光装置を、非発光面２３側に磁性層２８を形成した発光ユニット１を備える電光表示機３６として使用している。図１０（ａ）は、巻いた状態の電光表示機３６を示した図であり、図１０（ｂ）は、電光表示機３６の断面を示した図であり、図１０（ｃ）は、電光表示機３６の使用状態の例を示した図である。
【００５７】
本実施例の電光表示機３６は、不使用時においては、図１０（ａ）に示すように巻いた状態とすることができる。従って、本実施例の電光表示機３６は、保管時に嵩張らず、また、容易に持ち運びすることができる。
【００５８】
本実施例の電光表示機３６は、図１０（ｂ）に示すように、発光ユニット１を防水層２９で被覆すると共に非発光面２３側に磁性層２８を形成し、袋状とした布体３６ａ内に収納し、発光ユニット１の発光面２２は布体３６ａで覆われた状態としている。本実施例では、袋状とした布体３６ａ自体が袋部として機能する。なお、本実施例において、発光ユニット１の非発光面２３に磁性層２８を形成した後に発光ユニット１を防水層２９で被覆しても、発光ユニット１を防水層２９で被覆した後に発光ユニット１の非発光面２３に磁性層２８を形成してもよい。あるいは、発光ユニット１を収納した袋状の布体３６ａの、非発光面２３側の内側または外側に磁性層２８を形成しても良い。磁性層２８を布体３６ａに形成した場合、発光ユニット１の可撓性を損なわずに済む。
【００５９】
また、本実施例の電光表示機３６は、例えば図１０（ｃ）に示すように、自動車３７等の金属面３８に対し、磁性層２８の作用で容易に着脱させることができる。
【００６０】
なお、図９および図１０において、メインユニット、電源部、リモコン、配線等は図示していないが、上記実施形態や他の実施例で説明した構成に基づき、本発明が実施可能なように構成されている。
【００６１】
なお、本発明は上述した実施例に限定されるものではなく、本発明の要旨を逸脱しない範囲内で種々の改良、変形が可能であることは言うまでもない。
【符号の説明】
【００６２】
１，１ａ，１ｂ，１ｃ  発光ユニット
２  記憶媒体
３  メインユニット
４，２５ａ，３０ａ，３２ａ，３４ａ，３６ａ  布体
５  フレキシブル基板
６  発光素子
２２  発光面
２６，３１，３３，３５  袋部
２８  磁性層
２９  防水層
【図１】
0006030312.tif 000002
【図２】
0006030312.tif 000003
【図３】
0006030312.tif 000004
【図４】
0006030312.tif 000005
【図５】
0006030312.tif 000006
【図６】
0006030312.tif 000007
【図７】
0006030312.tif 000008
【図８】
0006030312.tif 000009
【図９】
0006030312.tif 000010
【図１０】
0006030312.tif 000011